(57)【要約】【課題】部品点数を削減しつつ、防水性能が低下することを防止することができる防水コネクタを提供すること。【解決手段】電線Ｗが接続された端子である電線付き端子Ｃが収容される端子収容部１１を有してなるコネクタハウジング１０と、該コネクタハウジング１０の外部から内部に向けて前記電線付き端子Ｃが挿通される端子挿通孔６１を有してなる弾性シール部材６０と、を含む防水コネクタ１において、コネクタハウジング１０は、後端部２０ａを塞ぐように設けられ、かつ電線付き端子Ｃの誤挿入検出機能を有してなる誤挿入検出挿通孔３１が形成されてなる後壁３０と、後壁３０の内面３０ａに弾性シール部材６０の後端面６０ｂが接するように、かつ端子収容部１１を防水可能に弾性シール部材６０が収容されるシール部材収容部４０と、弾性シール部材６０がシール部材収容部４０へ挿入可能に周側壁２０に形成された開口であるシール部材挿入部５０と、を有してなる。【選択図】図１
2013171705.tif 000002
【特許請求の範囲】
【請求項１】
電線が接続された端子である電線付き端子が収容される端子収容部を有し、前記電線付き端子、あるいは該電線付き端子と接続される相手端子が挿入される端子挿入孔を有してなる前壁と、該前壁の縁に沿って立設され、後端部が前記電線の延在方向に向けて延びる周側壁と、を有してなるコネクタハウジングと、該コネクタハウジングの外部から内部に向けて前記電線付き端子が挿通される端子挿通孔を有してなる弾性シール部材と、を含む防水コネクタにおいて、
前記コネクタハウジングは、
前記後端部を塞ぐように設けられ、かつ前記電線付き端子の誤挿入検出機能を有してなる誤挿入検出挿通孔が形成されてなる後壁と、
前記後壁の内面に前記弾性シール部材の後端面が接するように、かつ前記端子収容部を防水可能に前記弾性シール部材が収容されるシール部材収容部と、
前記弾性シール部材が前記シール部材収容部へ挿入可能に前記周側壁に形成された開口であるシール部材挿入部と、
を有してなることを特徴とする防水コネクタ。
【請求項２】
前記シール部材収容部は、
前記周側壁の内周面に沿って前記弾性シール部材の外周縁部が嵌め込まれる嵌合溝部を有してなることを特徴とする請求項１に記載の防水コネクタ。
【請求項３】
前記弾性シール部材は、
厚み方向に直交する前端面および後端面の外周縁部に沿って山形に突起された外周リップ部を有してなることを特徴とする請求項２に記載の防水コネクタ。
【請求項４】
当該防水コネクタは、
前記弾性シール部材の前記シール部材挿入部によって露出された部分を覆うように形成され、前記シール部材挿入部から前記弾性シール部材とともに前記シール部材収容部に挿入されてシール部材収容部内に保持されるシール部材カバーをさらに有してなることを特徴とする請求項１、２、または３に記載の防水コネクタ。
【発明の詳細な説明】
【技術分野】
【０００１】
本発明は、電線付き端子が収容されたコネクタハウジングと、該コネクタハウジングの開口を防水可能に封止する弾性シール部材とを有してなる防水コネクタに関する。
【背景技術】
【０００２】
従来、電線付き端子が収容されたコネクタハウジングと、該コネクタハウジングの開口を防水可能に封止する弾性シール部材とを有してなる防水コネクタは、コネクタハウジングの外部から内部に向けて電線付き端子が挿通される端子挿通孔を有してなる弾性シール部材が用いられる。例えば特許文献１には、電線付き端子の誤セットを防止するための検出構造を有する弾性シール部材がコネクタハウジングの後端部に配置されてなる防水コネクタが提案されている。
【０００３】
この特許文献１に記載された防水コネクタは、電線付き端子の向きを間違えて挿入することを防止するための検出機能を弾性シール部材の保持部に代わって弾性シール部材の端子挿通孔にもたせ、弾性シール部材の保持部を省略することによって、部品点数を削減するようにしている。
【先行技術文献】
【特許文献】
【０００４】
【特許文献１】特開２０１０−２７２３１号公報
【発明の概要】
【発明が解決しようとする課題】
【０００５】
しかしながら、特許文献１に記載された防水コネクタは、電線付き端子が間違った向きで弾性シール部材の端子挿通孔に挿入された場合、弾性シール部材を損傷し、結果的に防水性能が低下してしまうという問題があった。
【０００６】
本発明は、上記に鑑みてなされたものであって、部品点数を削減しつつ、防水性能が低下することを防止することができる防水コネクタを提供することを目的とする。
【課題を解決するための手段】
【０００７】
上述した課題を解決し、目的を達成するために、本発明の請求項１にかかる防水コネクタは、電線が接続された端子である電線付き端子が収容される端子収容部を有し、前記電線付き端子、あるいは該電線付き端子と接続される相手端子が挿入される端子挿入孔を有してなる前壁と、該前壁の縁に沿って立設され、後端部が前記電線の延在方向に向けて延びる周側壁と、を有してなるコネクタハウジングと、該コネクタハウジングの外部から内部に向けて前記電線付き端子が挿通される端子挿通孔を有してなる弾性シール部材と、を含む防水コネクタにおいて、前記コネクタハウジングは、前記後端部を塞ぐように設けられ、かつ前記電線付き端子の誤挿入検出機能を有してなる誤挿入検出挿通孔が形成されてなる後壁と、前記後壁の内面に前記弾性シール部材の後端面が接するように、かつ前記端子収容部を防水可能に前記弾性シール部材が収容されるシール部材収容部と、
前記弾性シール部材が前記シール部材収容部へ挿入可能に前記周側壁に形成された開口であるシール部材挿入部と、を有してなることを特徴とする。
【０００８】
また、本発明の請求項２にかかる防水コネクタは、上記の発明において、前記シール部材収容部は、前記周側壁の内周面に沿って前記弾性シール部材の外周縁部が嵌め込まれる嵌合溝部を有してなることを特徴とする。
【０００９】
また、本発明の請求項３にかかる防水コネクタは、上記の発明において、前記弾性シール部材は、厚み方向に直交する前端面および後端面の外周縁部に沿って山形に突起された外周リップ部を有してなることを特徴とする。
【００１０】
本発明の請求項４にかかる防水コネクタは、上記の発明において、当該防水コネクタは、前記弾性シール部材の前記シール部材挿入部によって露出された部分を覆うように形成され、前記シール部材挿入部から前記弾性シール部材とともに前記シール部材収容部に挿入されてシール部材収容部内に保持されるシール部材カバーをさらに有してなることを特徴とする。
【発明の効果】
【００１１】
本発明の請求項１にかかる防水コネクタは、前記コネクタハウジング内に前記弾性シール部材を保持させる保持手段を別に設ける必要がなく、しかも誤挿入検出機能を有してなる後壁によって前記弾性シール部材の端子挿通孔に間違った向きで端子が挿入されて前記弾性シール部材を損傷させてしまうことを防止するようになっている。従って、部品点数を削減しつつ、防水性能が低下することを防止することができる。
【００１２】
本発明の請求項２にかかる防水コネクタは、上述した請求項１と同様の効果を奏するとともに、前記シール部材収容部が、前記周側壁の内周面に沿って前記弾性シール部材の外周縁部が嵌め込まれる嵌合溝部を有してなるので、前記嵌合溝部の溝側面に前記弾性シール部材の外周縁部が圧接されることよって、前記周側壁の内周面に密着され、確実に前記端子収容部への水の浸入を防ぐことができる。
【００１３】
本発明の請求項３にかかる防水コネクタは、上述した請求項１と同様の効果を奏するとともに、前記弾性シール部材が厚み方向に直交する前端面および後端面の外周縁部に沿って山形に突起された外周リップ部を有してなるので、前記嵌合溝部の溝側面に外周縁部が圧接され易くなり、防水性能を向上させることができる。
【００１４】
本発明の請求項４にかかる防水コネクタは、上述した請求項１と同様の効果を奏するとともに、前記シール部材カバーによって前記弾性シール部材が外部に露出されることを防ぎ、結果的に、前記弾性シール部材の損傷を防ぐことができる。しかも、前記シール部材カバーが前記シール部材挿入部から前記弾性シール部材とともに前記シール部材収容部に挿入されるので、前記弾性シール部材が前記シール部材収容部への挿入途中であった場合、例えば、接続相手が雌型コネクタの場合、雌型コネクタのフード部等に前記シール部材カバーが干渉するので、前記弾性シール部材の前記シール部材収容部への取り付け状態が不完全になることを防止することができる。
【図面の簡単な説明】
【００１５】
【図１】図１は、本発明の実施の形態１にかかる防水コネクタの分解斜視図である。
【図２】図２は、図１に示した防水コネクタを前壁側から視た正面図である。
【図３】図３は、図１に示した防水コネクタの上面図である。
【図４】図４は、図１に示した防水コネクタを左側から視た側面図である。
【図５】図５は、図２に示した防水コネクタのＡ−Ａ線断面図である。
【図６】図６は、図５に示した外周縁リップ部の周辺を拡大した図である。
【図７】図７は、図４に示した防水コネクタのＢ−Ｂ線断面図である。
【図８】図８は、図５に示した防水コネクタに雌端子が収容された状態を示した図である。
【図９】図９は、図７に示した防水コネクタに雌端子が収容された状態を示した図である。
【図１０】図１０は、図５に示した防水コネクタのコネクタハウジングを示したＡ−Ａ線断面図である。
【図１１】図１１は、図１に示したコネクタハウジングを後壁側から視た背面図である。
【図１２】図１２は、図１１に示した誤挿入検出挿通孔を拡大した図である。
【図１３】図１３は、本発明の実施の形態１の変形例の防水コネクタの分解斜視図である。
【図１４】図１４は、本発明の実施の形態２にかかる防水コネクタの分解斜視図である。
【図１５】図１５は、図１４に示した防水コネクタを左側から視た側面図である。
【図１６】図１６は、図１５に示した防水コネクタのＣ−Ｃ線断面図である。
【図１７】図１７は、接続相手の雌型コネクタのフード部にシール部材カバーが接触されることを説明するための図である。
【００１６】
以下、図面を参照して、本発明にかかる防水コネクタの好適な実施の形態を詳細に説明する。
【００１７】
（実施の形態１）
図１は、本発明の実施の形態１にかかる防水コネクタ１の分解斜視図である。図２は、図１に示した防水コネクタ１を前壁１２側から視た正面図である。図３は、図１に示した防水コネクタ１の上面図である。図４は、図１に示した防水コネクタ１を左側から視た側面図である。図５は、図２に示した防水コネクタ１のＡ−Ａ線断面図である。図６は、図５に示した外周リップ部６３の周辺を拡大した図である。図７は、図４に示した防水コネクタ１のＢ−Ｂ線断面図である。図８は、図５に示した防水コネクタ１に雌端子Ｃが収容された状態を示した図である。図９は、図７に示した防水コネクタ１に雌端子Ｃが収容された状態を示した図である。図１０は、図５に示した防水コネクタ１のコネクタハウジング１０を示したＡ−Ａ線断面図である。図１１は、図１に示したコネクタハウジング１０を後壁側から視た背面図である。図１２は、図１１に示した誤挿入検出挿通孔３１を拡大した図である。
なお、便宜上、互いに直交する矢印方向を前後左右上下方向とする。
【００１８】
本発明の実施の形態１にかかる防水コネクタ１は、電線Ｗが接続された雌型の端子である電線付き端子Ｃが複数収容される雄型のコネクタハウジング１０と、該コネクタハウジング１０の開口を防水可能に封止する弾性シール部材６０とを有してなる。この防水コネクタ１が不図示の雌型の接続相手コネクタと嵌合されることによって、防水コネクタ１内の各電線付き端子Ｃと、不図示の接続相手コネクタ内の各雄端子とが接続されるようになっている。また、コネクタハウジング１０は、不図示の接続相手コネクタが嵌合された場合、嵌合状態を保持するためのコネクタ係合部７０を有してなる。コネクタ係合部７０は、コネクタハウジング１０の上部に設けられ、不図示の接続相手コネクタの上部に設けられた係合部と係合されるようになっている。
【００１９】
以下、防水コネクタ１について詳細に説明する。
まず、弾性シール部材６０について説明する。
弾性シール部材６０は、コネクタハウジング１０の外部から内部に向けて電線付き端子Ｃが挿通される端子挿通孔６１を有してなるシール部材である。
この弾性シール部材６０は、ゴム等の弾性材料からなり、厚み方向に直交する断面の外形が、後述するシール部材収容部４０の形状に対応した矩形状の板状部材である。この弾性シール部材６０は、図１に示すように、後述する１５室の端子収容室１１ａの位置に対応させて１５個の端子挿通孔６１が形成されている。  なお、端子挿通孔６１の数は１５個に限らず、後述する端子収容室１１ａの数に応じて設けられるようにするとよい。
【００２０】
各端子挿通孔６１は、図５に示すように、内周に沿って山形の孔内リップ部６２が形成されている。この孔内リップ部６２が、図８および図９に示すように、電線Ｗの外周面に圧接されることによって、弾性シール部材６０が電線Ｗに密着されるようになっている。
【００２１】
また、弾性シール部材６０は、厚み方向に直交する前端面６０ａおよび後端面６０ｂの外周縁部６４に沿って山形に突起された外周リップ部６３を有してなる。この外周リップ部６３が後述する嵌合溝部４１の溝側面４１ａに圧接されることによって、弾性シール部材６０が周側壁２０の内周に沿って密着されるようになっている。
【００２２】
次に、コネクタハウジング１０について説明する。
コネクタハウジング１０は、１５個の電線付き端子Ｃが収容される端子収容部１１を有し、各電線付き端子Ｃと接続される不図示の雄端子が挿入される端子挿入孔１２ａが１５箇所に形成されている前壁１２と、前壁１２の縁１２ｂに沿って立設され、後端部２０ａが電線Ｗの延在方向に向けて延びる周側壁２０と、を有してなる。
【００２３】
前壁１２は、外形が矩形状をなす壁である。この矩形状の前壁１２の縁１２ｂに沿って立設される周側壁２０は、上壁２１、下壁２２、右壁２３、および左壁２４からなる。
また、１５箇所の端子挿入孔１２ａは、後述する各端子収容室１１ａの位置に対応して縦に３列、横に５列に並んで前壁１２の表面に配置されている。
【００２４】
端子収容部１１は、前壁１２および周側壁２０によって囲われることによって形成された電線付き端子Ｃの収容部である。この端子収容部１１は、縦に３列、横に５列に並んで配置された１５室の端子収容室１１ａを有してなり、各電線付き端子Ｃが各端子収容室１１ａに収容されるようになっている。
各端子収容室１１ａには、図５に示すように、各端子収容室１１ａの上面から突出されてなる弾性片部１１ｂが設けられ、図８に示すように、この弾性片部１１ｂが各電線付き端子Ｃを各端子収容室１１ａ内に係止するようになっている。
【００２５】
さらに、コネクタハウジング１０は、後壁３０と、シール部材収容部４０と、シール部材挿入部５０とを有してなる。
後壁３０は、周側壁２０の後端部２０ａを塞ぐように設けられた壁である。この後壁３０は、誤挿入検出挿通孔３１が各端子収容室１１ａの位置に対応された１５箇所に形成されている。この誤挿入検出挿通孔３１は、電線付き端子Ｃがコネクタハウジング１０内に挿入される際、向きを間違えて挿入されないようにする誤挿入検出機能を有してなる貫通穴である。
【００２６】
各誤挿入検出挿通孔３１は、例えば、各電線付き端子Ｃの下部に不図示の誤挿入検出用の突起部が設けられた場合、この不図示の突起部が下部に位置される向きで雌端子Ｃが挿入されるようになっている。
より具体的には、各誤挿入検出挿通孔３１は、図１２に示すように、各誤挿入検出挿通孔３１の下部に不図示の突起部が挿通可能な溝部３２が形成される。
このような溝部３２が形成された誤検出挿通孔３１によれば、下部に突起部が設けられた電線付き端子Ｃが間違った向きで誤挿入検出挿通孔３１に挿入された場合、突起部が誤挿入検出挿通孔３１の縁に接触されることによって、電線付き端子Ｃが誤挿入検出孔３１に挿通されないようになっている。
【００２７】
すなわち、各電線付き端子Ｃが間違った向きで各誤挿入検出挿通孔３１に挿入されないようになっている。このような誤挿入検出機能を有してなる後壁３０によって、各電線付き端子Ｃが弾性シール部材６０の各端子挿通孔６１に間違った向きで挿入されることを防止するようになっている。
なお、各誤挿入検出挿通孔３１は下部に溝部３２が形成されるものに限らず、各電線付き端子Ｃが間違った向きで各誤挿入検出挿通孔３１に挿入された場合に、各電線付き端子Ｃが誤挿入検出挿通孔３１に挿通されないようになっていれば、その他の形状であっても構わない。例えば、誤挿入検出挿通孔３１の上部に溝部が形成されるようにしてもよい。
【００２８】
シール部材収容部４０は、後壁３０の内面３０ａに弾性シール部材６０の後端面６０ｂが接するように、かつ端子収容部１１を防水可能に弾性シール部材６０が収容されるようになっている。
より具体的には、シール部材収容部４０は、図１０に示すように、後端部４０ａが後壁３０によって囲われるとともに、周側壁２０の内周面２０ｂに沿って弾性シール部材６０の外周縁部６４が嵌め込まれる嵌合溝部４１を有してなる。このため、弾性シール部材６０は、シール部材収容部４０に収容された場合、後壁３０によってシール部材収容部４０内に保持されるとともに、嵌合溝部４１の溝側面４１ａに弾性シール部材６０の外周リップ部６３が圧接されることよって、周側壁２０の内周面２０ｂに密着されるようになっている。
【００２９】
シール部材挿入部５０は、弾性シール部材６０がシール部材収容部４０へ挿入可能に周側壁２０に形成された開口である。より具体的には、シール部材挿入部５０は、左壁２４のシール部材収容部４０に対応する位置に、弾性シール部材６０の厚み方向の外形にほぼ等しい矩形状に形成された開口である。このようにシール部材挿入部５０が電線Ｗの延在方向に向けて延びる周側壁２０に形成されることによって、弾性シール部材６０が電線Ｗによる保持力によってシール部材挿入部５０の方向に移動されないようになっている。すなわち、弾性シール部材６０がシール部材挿入部５０を介してシール部材挿入部５０から離脱しないようになっている。
【００３０】
本発明の実施の形態１にかかる防水コネクタ１は、コネクタハウジング１０が、後端部２０ａを塞ぐように設けられ、かつ電線付き端子Ｃの誤挿入検出機能を有してなる誤挿入検出挿通孔３１が形成されてなる後壁３０と、後壁３０の内面３０ａに弾性シール部材６０の後端面６０ｂが接するように、かつ端子収容部１１を防水可能に弾性シール部材６０が収容されるシール部材収容部４０と、弾性シール部材６０がシール部材収容部４０へ挿入可能に周側壁２０に形成された開口であるシール部材挿入部５０と、を有してなるので、コネクタハウジング１０内に弾性シール部材６０を保持させる保持手段を別に設ける必要がなく、しかも誤挿入検出機能を有してなる後壁３０によって弾性シール部材６０の端子挿通孔６１に間違った向きで電線付き端子Ｃが挿入されて弾性シール部材６０を損傷させてしまうことを防止するようになっている。従って、部品点数を削減しつつ、防水性能が低下することを防止することができる。
【００３１】
また、本発明の実施の形態１にかかる防水コネクタ１は、コネクタハウジング１０内に弾性シール部材６０を保持させる保持手段を別に設けないことによって部品点数を削減しているので、保持手段の取り付け作業を削減することができ、結果的に弾性シール部材６０の取り付け作業が容易となる。
【００３２】
また、本発明の実施の形態１にかかる防水コネクタ１は、シール部材収容部４０が、周側壁２０の内周面２０ｂに沿って弾性シール部材６０の外周縁部６４が嵌め込まれる嵌合溝部４１を有してなるので、嵌合溝部４１の溝側面４１ａに弾性シール部材６０の外周縁部６４が圧接されることよって、周側壁２０の内周面２０ｂに密着され、確実に端子収容部１１への水の浸入を防ぐことができる。
【００３３】
また、本発明の実施の形態１にかかる防水コネクタ１は、弾性シール部材６０が厚み方向に直交する前端面６０ａおよび後端面６０ｂの外周縁部６４に沿って山形に突起された外周リップ部６３を有してなるので、嵌合溝部４１の溝側面４１ａに外周縁部６４が圧接され易くなり、防水性能を向上させることができる。
【００３４】
（変形例）
次に、図１３を用いて本発明の実施の形態１の防水コネクタ１の変形例について説明する。図１３は、本発明の実施の形態１の変形例の防水コネクタ２の分解斜視図である。
この変形例の防水コネクタ２は、コネクタハウジング１０に代わって雌型のコネクタハウジング９０を有してなる点で実施の形態１の防水コネクタ１と異なる。
なお、その他の構成は実施の形態と同様であり、実施の形態と同一構成部分には同一符号を付している。
【００３５】
この変形例の防水コネクタ２は、電線Ｗが接続された雄型の端子である不図示の電線付き端子Ｃが複数収容される雌型のコネクタハウジング９０と、コネクタハウジング１０の外部から端子挿通孔６１を介して電線付き端子Ｃを挿入する弾性シール部材６０とを有してなる。この防水コネクタ２が不図示の雄型の接続相手コネクタと嵌合されることによって、防水コネクタ２内の各電線付き端子Ｃと、接続相手コネクタ内の各雌端子とが接続されるようになっている。
【００３６】
この変形例の防水コネクタ２は、コネクタハウジング９０が、後端部２０ａを塞ぐように設けられ、かつ電線付き端子Ｃの誤挿入検出機能を有してなる誤挿入検出挿通孔３１が形成されてなる後壁３０と、後壁３０の内面３０ａに弾性シール部材６０の後端面６０ｂが接するように、かつ端子収容部１１を防水可能に弾性シール部材６０が収容されるシール部材収容部４０と、弾性シール部材６０がシール部材収容部４０へ挿入可能に周側壁２０に形成された開口であるシール部材挿入部５０と、を有してなるので、コネクタハウジング９０内に弾性シール部材６０を保持させる保持手段を別に設ける必要がなく、しかも誤挿入検出機能を有してなる後壁３０によって弾性シール部材６０の端子挿通孔６１に間違った向きで電線付き端子Ｃが挿入されて弾性シール部材６０を損傷させてしまうことを防止するようになっている。従って、実施の形態１の防水コネクタ１と同様に、部品点数を削減しつつ、防水性能が低下することを防止することができる。
【００３７】
（実施の形態２）
次に、図１４−図１７を用いて本発明の実施の形態２にかかる防水コネクタ３について説明する。
図１４は、本発明の実施の形態２にかかる防水コネクタ３の分解斜視図である。図１５は、図１４に示した防水コネクタ３を左側から視た側面図である。図１６は、図１５に示した防水コネクタ３のＣ−Ｃ線断面図である。図１７は、接続相手の雌型コネクタ１００のフード部１１０にシール部材カバー８０が接触されることを説明するための図である。
なお、上述した実施の形態１と同一構成部分には同一符号を付している。
【００３８】
本発明の実施の形態２にかかる防水コネクタ３は、弾性シール部材６０のシール部材挿入部５０によって露出された部分を覆うように形成され、シール部材挿入部５０から弾性シール部材６０とともにシール部材収容部４０に挿入されてシール部材収容部４０内に保持されるシール部材カバー８０を有してなる。
【００３９】
シール部材カバー８０は、コの字状に屈曲された板状部材からなり、図１６に示すように、弾性シール部材６０の外周縁面６４の上側縁面６４ａ、下側縁面６４ｂおよび左側縁面６４ｃを覆うようになっている。
また、シール部材カバー８０は、上面８０ａから突起された係合突起８１を有してなり、この係合突起８１がコネクタハウジング１０の上壁２１に形成された係合開口部２１ａ内に配置されることによって、シール部材カバー８０が、シール部材収容部で保持されるようになっている。
【００４０】
このようなシール部材カバー８０は、シール部材挿入部５０によって露出される弾性シール部材６０の左側縁面６４ｃを覆うようになっているので、弾性シール部材６０が外部に露出されないようになっている。
また、コネクタハウジング１０の左壁２４に形成されたシール部材挿入部５０から弾性シール部材６０とともにシール部材収容部４０に挿入されるので、弾性シール部材６０がシール部材収容部４０への挿入途中であった場合、例えば、図１７に示すように、接続相手の雌型コネクタ１００のフード部１１０にシール部材カバー８０が干渉するようになっている。
【００４１】
本発明の実施の形態２にかかる防水コネクタ３は、実施の形態１の防水コネクタ１と同様な効果を奏するとともに、シール部材カバー８０によって弾性シール部材６０が外部に露出されることを防ぎ、結果的に、弾性シール部材６０の損傷を防ぐことができる。
しかも、シール部材挿入部５０から弾性シール部材６０とともにシール部材収容部４０に挿入されるので、弾性シール部材６０がシール部材収容部４０への挿入途中であった場合、接続相手の雌型コネクタ１００のフード部１１０にシール部材カバー８０が干渉するので、弾性シール部材６０のシール部材収容部４０への取り付け状態が不完全になることを防止することができる。
【００４２】
なお、本発明の実施の形態１，２にかかる防止コネクタ１，２，３は、シール部材挿入部５０が、コネクタハウジング１０，９０の左壁２４に形成されているものを例示したが、これに限らない。すなわち、シール部材挿入部５０は、周側壁２０に形成されていればよい。例えば、シール部材挿入部５０が下壁２２、あるいは右壁２３に形成されるようにしてもよい。
【００４３】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００４４】
１、２、３  防水コネクタ
１０、９０  コネクタハウジング
１１      端子収容部
１１ａ    端子収容室
１１ｂ    弾性片部
１２      前壁
１２ａ    端子挿入孔
１２ｂ    縁
２０      周側壁
２０ａ    後端部
２０ｂ    内周面
２１      上壁
２１ａ    係合開口部
２２      下壁
２３      右壁
２４      左壁
３０      後壁
３０ａ    内面
３１      誤挿入検出挿通孔
３２      溝部
４０      シール部材収容部
４０ａ    後端部
４１      嵌合溝部
４１ａ    溝側面
５０      シール部材挿入部
６０      弾性シール部材
６０ａ    前端面
６０ｂ    後端面
６１      端子挿通孔
６２      孔内リップ部
６３      外周リップ部
６４      外周縁部
６４ａ    上側縁面
６４ｂ    下側縁面
６４ｃ    左側縁面
７０      コネクタ係合部
８０      シール部材カバー
８０ａ    上面
８１      係合突起
Ｗ        電線
Ｃ        電線付き端子Ｃ
１００    雌型コネクタ
１１０    フード部
【図１】
2013171705.tif 000003
【図２】
2013171705.tif 000004
【図３】
2013171705.tif 000005
【図４】
2013171705.tif 000006
【図５】
2013171705.tif 000007
【図６】
2013171705.tif 000008
【図７】
2013171705.tif 000009
【図８】
2013171705.tif 000010
【図９】
2013171705.tif 000011
【図１０】
2013171705.tif 000012
【図１１】
2013171705.tif 000013
【図１２】
2013171705.tif 000014
【図１３】
2013171705.tif 000015
【図１４】
2013171705.tif 000016
【図１５】
2013171705.tif 000017
【図１６】
2013171705.tif 000018
【図１７】
2013171705.tif 000019